(57)【要約】  本発明は、ユニバーサルディスクフォーマットＵＤＦ及びブルーレイディスクファイルシステムＢＤＦＳの組み合わせフォーマットを使用して、ＵＤＦファイルシステムにＢＤＦＳファイルとして記憶されたビデオファイルのシームレス再生を確実に行う方法であって、ＢＤＦＳエクステントを少なくとも１つのＵＤＦエクステントにマッピングすることによってＢＤＦＳエクステントを生成するステップを含み、このマッピングがＢＤＦＳによって規定されるルールに基づく方法に関する。
2008508651.tif 000002
【特許請求の範囲】
【請求項１】
ユニバーサルディスクフォーマットＵＤＦ及びブルーレイディスクファイルシステムＢＤＦＳの組み合わせフォーマットを使用して、ＵＤＦファイルシステムにＢＤＦＳファイルとして記憶されたビデオファイルのシームレス再生を確実に行う方法であって、
ＢＤＦＳエクステントを少なくとも１つのＵＤＦエクステントにマッピングすることによって前記ＢＤＦＳエクステントを生成するステップを含み、前記マッピングがＢＤＦＳによって規定されるルールに基づく方法。
【請求項２】
ＢＤＦＳによって規定される前記ルールに基づいて実施されるＵＤＦエクステントを生成するステップを含む、請求項１に記載の方法。
【請求項３】
ＢＤＦＳによって規定される前記ルールに基づいて、ＢＤＦＳエクステントを現存のＵＤＦエクステントにマッピングするステップを含む、請求項１又は２に記載の方法。
【請求項４】
前記マッピングが、ＢＤＦＳにおけるエクステントの最小サイズを規定する前記ＢＤＦＳルールに少なくとも基づいており、これにより、ＢＤＦＳエクステントは、少なくとも前記最小サイズをもつＵＤＦエクステントにマッピングされるだけである、請求項１乃至３の何れか一項に記載の方法。
【請求項５】
前記ＵＤＦエクステントが、前記ＢＤＦＳエクステントと少なくとも同じサイズである場合、可能であれば、ＢＤＦＳエクステントのＵＤＦエクステントへのマッピングが実施される、請求項１乃至４の何れか一項に記載の方法。
【請求項６】
１つのＢＤＦＳエクステントが、２つ以上のＵＤＦエクステントにマッピングされる、請求項１乃至５の何れか一項に記載の方法。
【請求項７】
記憶装置が、請求項１乃至６の何れか一項に記載の方法を実施することができるようにするデータを有するコンピュータ可読媒体。
【請求項８】
ユニバーサルディスクフォーマットＵＤＦ及びブルーレイディスクファイルシステムＢＤＦＳの組み合わせフォーマットを使用して、ＵＤＦファイルシステムにＢＤＦＳファイルとして記憶されたビデオファイルのシームレス再生を可能にする記憶装置であって、
ＢＤＦＳエクステントをＵＤＦエクステントにマッピングすることによって前記ＢＤＦエクステントを生成するための手段を有し、前記マッピングがＢＤＦＳによって規定されるルールに基づく記憶装置。
【発明の詳細な説明】
【技術分野】
【０００１】
本発明は、ＵＤＦ及びＢＤＦＳの組み合わせフォーマットを使用して、ＵＤＦ（ユニバーサルディスクフォーマット）ファイルシステムにＢＤＦＳ（ブルーレイディスクファイルシステム）ファイルとして記憶されるビデオファイルのシームレス再生を確実に行う方法に関する。本発明は、更に、ＵＤＦ及びＢＤＦＳの組み合わせフォーマットを使用して、ＵＤＦ（ユニバーサルディスクフォーマット）ファイルシステムにＢＤＦＳ（ブルーレイディスクファイルシステム）ファイルとして記憶されるビデオファイルのシームレス再生を確実に行うコンピュータ可読媒体及び記憶装置にも関する。
【背景技術】
【０００２】
ブルーレイディスク（ＢＤ）としても知られるブルーレイは、家電メーカー及びＰＣ企業によって共同開発された次世代の光ディスクフォーマットの名称である。このフォーマットは、高精細（高品位）テレビ（ＨＤＴＶ）の記録、書き換え及び再生を可能にするように開発された。ブルーレイは、２７ＧＢディスクに、２時間以上のＨＤＴＶ又は１３時間を超えるＳＤＴＶ（標準テレビ）を記録することを可能にする。５４ＧＢまでのデータを保持することができるより高い容量ディスクについての計画もある。
【０００３】
ＤＶＤ、ＤＶＤ−Ｒ、ＤＶＤ＋Ｒ、ＤＶＤーＲＷ、ＤＶＤ＋ＲＷ及びＤＶＤ−ＲＡＭのような現行の光ディスク技術は、赤色レーザを使用してデータを読み書きするが、この新たなフォーマットは、赤色レーザの代わりに青色レーザを使用し、そこから、ブルーレイという名称がつけられている。青色レーザを使用する利点は、この青色レーザが、赤色レーザ（６５０ナノメータ（ｎｍ））より短い波長（４０５ナノメータ）をもつことであり、このことは、より一層高い精度でレーザビームをフォーカスすることが可能であることを意味する。これにより、データがディスク上により緊密にパックされることが可能になり、同じサイズのディスク上により多くのデータを適合させる（フィットさせる）ことが可能になる。異なるタイプのレーザが使用されているにもかかわらず、ブルーレイディスクレコーダは、現行の赤色レーザ技術と下位互換性をもつように作製され、ＣＤ及びＤＶＤの再生も可能にすることができる。
【０００４】
ＨＤＴＶがより普及するようになるにつれて、ＨＤＴＶ番組を記録する消費需要が高まるであろう。ブルーレイはこの用途を考慮して設計されており、デジタルテレビジョン用の世界標準規格と上位の互換性をもつようにするデジタル放送によって使用されるＭＰＥＧ−２ＴＳ（トランスポートストリーム）の直接記録を可能にする。このことは、ＨＤＴＶ放送が、いかなる追加の処理も又はいかなる品質損失もなく、ディスクに直接記録されることができることを意味する。ＨＤＴＶのために必要な増加されるデータ量を取り扱うために、ブルーレイは、３６メガビット／秒（Ｍｂｐｓ）データ転送速度を利用しており、この転送速度は、元の画像品質を維持するとともに、ＨＤＴＶを記録し再生するのに十二分である。更に、光ディスクのランダム的なアクセス機能を十分に活用することによって、高精細ビデオを記録するのと同時に、ディスクでビデオを再生することも可能である。
【０００５】
ブルーレイは、数年のうちにＶＣＲ及び現行のＤＶＤ技術に置き換わるものと期待されている。このフォーマットは、また、将来、ＰＣデータ記憶及び高精細映画のための標準規格になる見込みもある。
【０００６】
現在のブルーレイディスクシステムディスクリプションは、以下の部分から構成される。
第１部：ディスクのフォーマット及び特性を規定する物理フォーマット
第２部：ブルーレイディスクファイルシステム（ＢＤＦＳ）と呼ばれるファイルシステム仕様
第３部：ビデオアプリケーション仕様
【０００７】
ディスクの物理フォーマットは、ＣＥ業界及びＰＣ業界の双方での使用に申し分なく適している一般のディスクを規定する。ファイルシステム及びビデオアプリケーション仕様（第２部及び第３部）は、ＣＥ環境を考慮に入れて設計されている。これらの仕様に基づいた第１のＣＥ装置は、既に市場にある。
【０００８】
ＰＣ環境における仕様の受け入れは、別の問題であり、これは、基本的に、上記の提案が新たに規定されたファイルシステム（ＢＤＦＳ）を使用するという事実に関連付けられることができる。ＰＣ業界では、広く受け入れられたファイルシステムの数は、かなり制限されており、光学媒体に対する事実上の標準規格は、ＯＳＴＡによって規定されるＵＤＦファイルシステムである。
【０００９】
このフォーマットの使用及び商業的な成功に関して、ここで規定されるシステムディスクリプションが、ＣＥ業界にとってもＰＣ業界にとっても受け入れられないことは大きな欠点である。
【００１０】
ブルーレイのＵＤＦとＢＤＦＳとの組み合わせフォーマットは、*.bdvのようなファイル名の拡張子によって識別される１つ又は複数の特別なファイルをもつ。この"bdv"ファイルは、ＢＤ ＲＥのために規定されるブルーレイファイルシステムブックのためのコンテナとしての役割を果たす。
【００１１】
ＢＤＦＳファイルシステムアロケーションルールは、記録されたビデオが、ＢＤプレーヤでシームレスに再生されることができることを確実にするように規定される。このことは、ＢＤＦＳシステムにおけるエクステントが、最小サイズを持たなければならないことを意味する。例えば、このサイズを記録するＨＤは１２．５メガバイト（ＭＢ）に設定され、ＤＶ（デジタルビデオ、例えば、カメラ記録フォーマット）記録の場合、このサイズは２５メガバイトである。これが基本的なルールである。ビデオシーケンスの最初及び最後のエクステントについては、例外がある。
【００１２】
あるエクステントから他のエクステントへの最大ジャンプ回数に対して所与の性能パラメータで規定される基準プレーヤもある。アロケーションルールと一緒に、このことがシームレス再生を可能にする。現行のＢＤ ＲＥディスクでは、ＢＤＦＳがディスクにおける唯一のファイルシステムであり、このファイルシステムは、これらの条件が満たされることを確実にすることができる。この組み合わせ提案では、ＢＤＦＳコンテナがＵＤＦファイルシステムのファイルであり、このため、エクステントを使用する第２のレイヤがもたらされる。ＵＤＦ及びＢＤＦＳエクステントが不適切に整合されると、ビデオの非シームレス再生に容易につながってしまう。
【発明の開示】
【発明が解決しようとする課題】
【００１３】
従って、本発明の目的は、ＵＤＦ及びＢＤＦＳの組み合わせフォーマットにセーブされたビデオの非シームレス再生を避ける方法を提供することにある。従って、ビデオのシームレス再生が、可能な限り最良に保証されることができるように、ＵＤＦ及びＢＤＦＳを合わせる（align，調整する）ことが重要である。
【課題を解決するための手段】
【００１４】
このことは、ＵＤＦ及びＢＤＦＳの組み合わせフォーマットを使用して、ＵＤＦ（ユニバーサルディスクフォーマット）ファイルシステムにＢＤＦＳ（ブルーレイディスクファイルシステム）ファイルとして記憶されたビデオファイルのシームレス再生を確実に行う方法であって、
ＢＤＦＳエクステントを少なくとも１つのＵＤＦエクステントにマッピングすることによってＢＤＦＳエクステントを生成するステップを含み、このマッピングがＢＤＦＳによって規定されるルールに基づく方法によって得られる。
【００１５】
これによって、ビデオ映画の再生が得られ、十分なエクステント長が規定される場合、更に、あるストリームの記録と同時に他のストリームの再生が可能である。
【００１６】
ある実施形態では、この方法が、ＢＤＦＳによって規定されるルールに基づいて実施されるＵＤＦエクステントを生成するステップを含む。これによって、シームレス再生を保証するためにＵＤＦエクステントをリマップする追加のアクションは必要とされない。
【００１７】
ある実施形態では、この方法が、ＢＤＦＳによって規定されるルールに基づいて、ＢＤＦＳエクステントを現存のＵＤＦエクステントにマッピングするステップを含む。
【００１８】
ある実施形態では、このマッピングが、ＢＤＦＳにおけるエクステントの最小サイズを規定するＢＤＦＳルールに少なくとも基づいており、これにより、ＢＤＦＳエクステントは、少なくとも最小サイズをもつＵＤＦエクステントにマッピングされるだけである。これによって、最小限のＵＤＦエクステントサイズのみが必要とされ、ＢＤＦＳエクステントは、シームレス再生に影響を及ぼすことなく、２つ以上のＵＤＦエクステントに分割されることができる。
【００１９】
ある実施形態では、ＵＤＦエクステントが、ＢＤＦＳエクステントと少なくとも同じサイズである場合、可能であれば、ＢＤＦＳエクステントのＵＤＦエクステントへのマッピングが実施される。これによって、ＢＤＦＳエクステントを不必要な小さいエクステントに分割することが避けられる。
【００２０】
ある実施形態では、１つのＢＤＦＳエクステントが、より多くの（２つ以上の）ＵＤＦエクステントにマッピングされる。これによって、ＵＤＦスペースが無駄にならない。
【００２１】
本発明は、更に、記憶装置が、請求項１乃至６の何れか一項に記載の方法を実施することができるようにするデータを有するコンピュータ可読媒体に関する。
【００２２】
本発明は、更に、ＵＤＦ及びＢＤＦＳの組み合わせフォーマットを使用して、ＵＤＦ（ユニバーサルディスクフォーマット）ファイルシステムにＢＤＦＳ（ブルーレイディスクファイルシステム）ファイルとして記憶されたビデオファイルのシームレス再生を可能にする記憶装置であって、ＢＤＦＳエクステントをＵＤＦエクステントにマッピングすることによってＢＤＦエクステントを生成する手段を有し、このマッピングがＢＤＦＳによって規定されるルールに基づく記憶装置に関する。
【００２３】
以下に、本発明の好ましい実施形態が、図面を参照して説明される。
【発明を実施するための最良の形態】
【００２４】
図１では、ＵＤＦ及びＢＤＦＳの組み合わせフォーマットが示される。ブルーレイのＵＤＦ及びＢＤＦＳの組み合わせフォーマットは、*.bdvのようなファイル名の拡張子によって識別される１つ又は複数の特別なファイルをもつ。この"bdv"ファイルは、ＢＤ ＲＥについて規定されるブルーレイファイルシステムブックのためのコンテナとしての役割を果たす。
【００２５】
このフォーマットは３つのゾーンを有する。まず、リードインゾーン１１、次に、データゾーン１３、最後に、リードアウトゾーン１５である。データゾーン１３は、ＵＤＦアンカー及びパーティション（partition，区画）情報をもつブロック３を有し、ブロック３の後、ＵＤＦパーティションは５で始まる。ＵＤＦファイルシステム情報及びファイルデータは７として示され、ＢＤＦＳコンテントをもつ特別なファイル９を有する。区画部１７で、ＵＤＦパーティションが終わる。
【００２６】
本発明によれば、ビデオのシームレス再生を得るために、ＵＤＦエクステント及びＢＤＦＳエクステントは、可能な限り良好に整合されるべきである。双方のファイルシステムは、これらのファイルシステムがそれぞれのエクステントを割り当てるとき、可能な限り最良にＢＤＦＳアロケーションルールを保存するために他のファイルシステムのエクステントサイズを考慮に入れるべきである。
【００２７】
これを行う１つのやり方は、ＵＤＦエクステントを生成することである。これらのＵＤＦエクステントは、ＢＤＦＳアロケーションルールが可能な限り維持されるやり方で、ＵＤＦエクステントとＢＤＦＳエクステントとの間の最適な整合が可能であるように、生成されるべきである。
【００２８】
このことが、図２及び図３に示される。この実施例のＢＤＦＳファイルは、４０メガバイトのサイズをもつ。
【００２９】
図２のＢＤＦＳ１の２１において、このことは、ＵＤＦファイル２２から２０メガバイトエクステント及び２×１０メガバイトフリースペースを使用することによって達成される。この場合、第１の１０メガバイトのエクステントから第２の１０メガバイトのエクステントまでジャンプするために、ＵＤＦレベルで追加のジャンプが必要とされるので、シームレス再生は保証されない。たった１０メガバイトのエクステントサイズは、ＢＤアロケーションルールに対する違反である。なぜならば、このルールでは、（ＢＤＦＳ１に示される）シームレス再生にとって最小限のエクステントサイズが１２．５メガバイトでなければならないからである。
【００３０】
この問題に対処する解決策は、ＢＤＦＳ２の２３として図２に示され、２０メガバイトの２つの最大のエクステントを使用することである（図２のＢＤＦＳ２参照）。この場合は、ジャンプが２０メガバイトの後にだけ起こるので、何の問題もない。
【００３１】
他のより簡単な実施例が、図３の状況である。この場合、区画部３３に必要とされるＢＤＦＳボリュームは２０メガバイトであり、ユーザは、ＵＤＦレベルにおいて１０メガバイト及び２０メガバイトのフリースペース領域をもつ。この実施例において、ＢＤＦＳボリューム３３は、ＵＤＦレベル３１のエクステント上にマッピングされ、このボリュームが最大のフリースペース領域（２０メガバイト）において生成され、ＵＤＦレベルでジャンプは必要とされず、そのため、シームレス再生を保証する。このシームレス再生の保証は、第１の１０メガバイトのエクステントが使用される場合、及び第２の２０メガバイトのエクステントのうち１０メガバイトが使用される場合には当てはまらない。
【００３２】
図４において、ＢＤＦＳボリューム４１は、２つのエクステントをもつ。これは、例えば、２つのクリップ又はファイルであり得る。ＢＤＦＳボリュームは、ＵＤＦの２×２０メガバイトのエクステントを使用して、上記のボリュームを形成する。シームレス再生は、第１の１４メガバイトをＵＤＦ４２のエクステントＡにマッピングし、第２の１６メガバイトをＵＤＦのエクステントＢにマッピングすることによって達成される。これは、（１６メガバイトの）第２のエクステントの６メガバイトが再生された後のジャンプを防止する。
【００３３】
このマッピングを実施する２つの実施例が、以下に示され得る。
Ａ）ＵＤＦファイルシステムは、アロケーションＡＰＩ（アプリケーションインタフェース）をもち、これが、書き込まれるであろうファイルのために生成されなければならないエクステント及びサイズをＵＤＦに強制する可能性を与える。
【００３４】
これによって、以下のステップが、ホストポイントから実施される。
１． ファイルを生成する。
２． （ファイルサイズを与えられた）ファイルの終わりを設定する。
３． アロケーションＡＰＩを使用して、必要なエクステントを設定する。
４． ファイルを書き込む。
Ｂ）単にファイルを媒体に書き込み、続いて、上記に説明された技術によって適切であるようにエクステントを再配置する。  
【００３５】
上述された実施形態は、本発明を限定するというよりむしろ説明するものであり、当業者であれば、添付の請求項の範囲から逸脱することなく、多くの代替の実施形態を設計することができることに留意されるべきである。請求項において、括弧内に付されたいかなる参照符号も請求項を限定するものとして解釈されてはならない。動詞「有する（comprising）」は、請求項に列挙されたもの以外の他の構成要素又はステップの存在を除外するものではない。本発明は、幾つかの別個の構成要素を有するハードウェアによって、更に、最適にプログラムされたコンピュータによって実現されることができる。幾つかの手段を列挙する装置請求項において、これらの手段の幾つかは、ハードウェアの１つの同じアイテムによって具現化されることができる。或る手段が相互に異なる従属請求項において詳述されるという単なる事実は、これらの手段の組み合わせが有利に使用されることができないということを示すものではない。
【図面の簡単な説明】
【００３６】
【図１】ブルーレイのＵＤＦ及びＢＤＦＳの組み合わせフォーマットを説明する図である。
【図２】２つのやり方で幾つかのＢＤＦＳエクステントにマッピングされるＵＤＦエクステントを示す図である。
【図３】１つのＢＤＦＳにマッピングされる１つのＵＤＦエクステントを示す図である。
【図４】２つのＵＤＦエクステントに適合させることによってマッピングされる２つのＢＤＦＳエクステントを示す図である。
【図１】
2008508651.tif 000003
【図２】
2008508651.tif 000004
【図３】
2008508651.tif 000005
【図４】
2008508651.tif 000006
【国際調査報告】
2008508651.tif 000007
2008508651.tif 000008
2008508651.tif 000009